(57)【要約】  フットウェアを手入れするための装置。本装置は、塗布具（２）と、前記塗布具（２）と適合するように構成されたカバー（５）と、を含む。前記塗布具（２）の外面（３）には、前記カバー（５）の内面（９）に組み込まれた定量供給手段（１０）を回転させることで、靴のコンディショニング物質が充填される。前記内面（９）は、前述の物質の容器（４）を含む。この物質の定量供給は、本装置を開ける際に行われるもので、前記塗布具（２）が、カバー（５）の側面（７）に配列された複数のガイド（８）を介して、定量供給手段（１０）の上でスライドすることで、当該塗布具（２）の外面（３）に最適量の物質が塗布される。続いて、この塗布具（２）を用いてフットウェアをこすり、クリーニングを行う。使用したら、本装置は、カバー（５）の内部に前記塗布具（２）を横断的に連結することで閉じられる。カバー（５）の内部は、透明な容器（４）を備えると共に、プラスチック製であると好ましい。利便性のために、本装置は、塗布具（２）に結合された人間工学的なハンドル（１）を搭載できる。
2009502223.tif 000002
【特許請求の範囲】
【請求項１】
塗布具（２）と、前記塗布具（２）に適合するように構成されたカバー（５）とを含む、フットウェアを手入れするための装置であって、
前記カバー（５）は、フットウェアのコンディショニング物質を含む容器（４）と、前記塗布具（２）の、少なくとも１つの外面（３）に前記物質を塗布できる定量供給手段（１０）と、を収容し、
前記塗布具（２）は、クリーニングするフットウェアの表面と接触するのに適すること、を特徴とする装置。
【請求項２】
請求項１に記載のフットウェアを手入れするための装置であって、
前記定量供給手段（１０）は、前記容器（４）に含まれる前記物質を注入できるローラを含み、前記ローラは、前記カバー（５）の内部での前記塗布具（２）の外面（３）のスライド時に回転可能であること、を特徴とする装置。
【請求項３】
請求項１に記載のフットウェアを手入れするための装置であって、
前記定量供給手段（１０）は、前記容器（４）に含まれる前記物質を注入できるボールを含み、前記ボールは、前記カバー（５）の内部での前記塗布具（２）の外面（３）のスライド時に回転可能であること、を特徴とする装置。
【請求項４】
先行する請求項のいずれか１項に記載のフットウェアを手入れするための装置であって、前記定量供給手段（１０）は一方向にのみ回転することに適すること、を特徴とする装置。
【請求項５】
前述の請求項のいずれか１項に記載のフットウェアを手入れするための装置であって、前記塗布具（２）は、横断的に前記カバー（５）と連結されるように構成されること、を特徴とする装置。
【請求項６】
前述の請求項のいずれか１項に記載のフットウェアを手入れするための装置であって、前記塗布具（２）は柔軟な素材からなること、を特徴とする装置。
【請求項７】
前述の請求項のいずれか１項に記載のフットウェアを手入れするための装置であって、前記塗布具（２）の外面（３）は、前記フットウェアの表面のあらゆる領域をクリーニングするのに適した先細り表面（６）に収斂すること、を特徴とする装置。
【請求項８】
前述の請求項のいずれか１項に記載のフットウェアを手入れするための装置であって、前記塗布具（２）の外面（３）は、前記定量供給手段（１０）に対応する窪み（７）を有すること、を特徴とする装置。
【請求項９】
前述の請求項のいずれか１項に記載のフットウェアを手入れするための装置であって、前記装置にはハンドル（１）が組み込まれ、前記ハンドル（１）は、その基部によって前記塗布具（２）に連結されること、を特徴とする装置。
【請求項１０】
請求項９に記載のフットウェアを手入れするための装置であって、前記ハンドル（１）は人間工学的であること、を特徴とする装置。
【請求項１１】
前述の請求項のいずれか１項に記載のフットウェアを手入れするための装置であって、前記カバー（５）は、その側面上部に、前記ハンドル（１）の外周縁が結合されるガイド（８）を有し、前記ガイドによって、前記塗布具（２）は、当該塗布具（２）が取り出されて装置が開くまで、前記カバー（５）の内部で長手方向にスライドできること、を特徴とする装置。
【請求項１２】
前述の請求項のいずれか１項に記載のフットウェアを手入れするための装置であって、前記カバー（５）は、その側面上部に、タブ（１１）を有し、前記タブ（１１）は、前記ハンドル（１）の基部の外周縁に想定される溝（１２）に結合されること、を特徴とする装置。
【請求項１３】
前述の請求項のいずれか１項に記載のフットウェアを手入れするための装置であって、前記容器（４）は少なくとも部分的に透明であること、を特徴とする装置。
【請求項１４】
前述の請求項のいずれか１項に記載のフットウェアを手入れするための装置であって、前記容器（４）は、コンディショニング物質の入れ替えを行えるような接続部を持つこと、を特徴とする装置。
【請求項１５】
前述の請求項のいずれか１項に記載のフットウェアを手入れするための装置であって、前記容器（４）は前記カバー（５）から着脱可能であること、を特徴とする装置。
【発明の詳細な説明】
【技術分野】
【０００１】
本発明は、靴をトリートメントまたは手入れするための製品を製造することに関する産業部門で応用される。
【０００２】
下記に記載された本発明は、靴コンディショニング物質の塗布具に基づいて構成される、フットウェアを手入れするための装置に関し、この塗布具は、クリーニング物質、除湿物質、または艶出し物質を保持する容器が収容されたカバー内に装着できる。また、前記物質は、その同一カバー内に想定される定量供給手段を介して、塗布具の表面に直接分配される。この塗布具により、本装置を開いた時点で適正な物質が投与されて、靴が磨かれる。
【０００３】
本発明の目的は、フットウェアの表面に移す際に、前記物質を過剰に塗布することなく、靴の入念なクリーニングを可能にすることである。
【０００４】
また、本発明は、ユーザによる装置の取り扱いに対応した人間工学を応用すると共に、靴表面のあらゆる領域を快適にクリーニングするために、いかなる靴にも適合する構造を採用して、本装置の利用を簡略化することも目的とする。
【背景技術】
【０００５】
現時点において、靴をクリーニングして磨く多数の装置が知られており、これらの装置は、通常、シリコンや艶出し剤（ｐｏｌｉｓｈ）からなるフットウェアのコンディショニング物質の容器を基本的に含む。前記コンディショニング物質は、ユーザが靴の表面を磨く際に用いるスポンジの内部に塗布される。
【０００６】
通常はポリウレタン製である塗布具のスポンジは、靴クリーニング装置に含まれるカバー内に組み込むことができ、靴の艶出し物質や除湿物質が直接注入される。このことは、この機能のために採用される容器、特に、特許文献１に記載されたものと同様である。
【０００７】
また他には、特許文献２および特許文献３に記載されるように、液体の物質を塗布するためのスポンジは、靴クリーニング容器の口金内に存在する。シリコンや艶出し剤は、定量供給手段として機能するバルブを介してスポンジに到達する。ただし、前記物質の有効な塗布量をスポンジに提供するものではない。前記液体の割り付けは、通例、スポンジの内部で、ユーザが実行している靴クリーニング動作の最中に行われるが、これは、スポンジそのものに対して圧力が印加されるため、あるいは、ユーザが、艶出し物質や除湿物質の容器の領域を実際に手で押すためである。
【０００８】
靴の表面に液体を塗布するこの機構は、容器からスポンジに放出されるシリコンや艶出し剤の量に関して比較的不正確である。投与される物質の量についてユーザは何の知識も持てないため、過剰な塗布が行われているにも関わらず、流体がスポンジ表面に到達して靴に散布されるまで、実際に必要とするよりも多量であることに気づかない場合が多い。この時点で、ユーザは、容器から前記物質が現れてからその物質が靴の表面で観察されるまでの遅延によって、多量の液体をスポンジにしみ込ませてしまったことに気づく。その結果、靴が濡れた状態になり、ユーザは、余剰分を乾いた布でふき取らざるを得なくなる。
【０００９】
簡単に言うと、このタイプの装置は、概して、その用途において結果的に非常に汚れたものとなる。この特徴に起因する他の問題として、このような装置には、保管中に液体が漏れたり、こぼれたりすることを防ぐカバーを装備する必要があり、また、装置自体を安定した場所に置くように求められるという問題がある。
【００１０】
このような問題の解決策の探索において、フットウェアのクリーニング用の液体またはクリームの塗布装置として、塗布具内および靴に対して完全に均一に物質を浸透させるために、ロールオン方式で機能するボール形のスポンジ部品を組み込んだ塗布装置がある。この種の靴クリーナは、液体が出ていくか否かを、靴に向かって容器を傾けることとは無関係に制御できる密閉手段も備えており、発明の特許文献４に考案されている。
【００１１】
スポンジや発泡体として作製される、液体の塗布具部品に関して、現在流通している塗布具の市場におけるクリーニング装置の中で、クリーニングしたいフットウェア表面のあらゆる領域に簡単に到達できるような形状に構成されたものは、まだその存在が知られていない。このため、靴のデザインによっては、その靴の隅およびプリーツが、クリーニング／除湿／艶出仕上げされないまま残る場合がある。
【００１２】
靴クリーナの多くは、フットウェアをクリーニングおよび艶出しする際の取り扱いに関して貧弱な人間工学しか採用しておらず、このことは前述した欠点、すなわち、物質を塗布すべき量や塗布されずに残っている量をユーザに知らせる表示器が装置に存在しないという欠点と結びつく。前述した最後の特徴は、ユーザが布を用いて自分自身でクリームや艶出し剤を塗布しなければならない、古典的な靴磨き製品では明らかに避けられないものであるが、これまで言及してきたタイプのように、含浸性のスポンジや発泡体によって即時塗布を行う現在の装置においては、そうではない。
【００１３】
それでも、コンディショニング物質の容器が空であるかどうかが示される製品がいくつか存在するが、容器の外部、定量供給バルブ内や含浸された塗布具スポンジに依然として一部の物質が必ず残っているため、この「使用終了」の指標は作為的なものである。
【００１４】
【特許文献１】スペイン特許出願第１０３８１１１号明細書
【特許文献２】スペイン特許第０１３４６８６号明細書
【特許文献３】スペイン特許出願第１００６２９８号明細書
【特許文献４】スペイン特許第２１６５２７３号明細書
【発明の開示】
【課題を解決するための手段】
【００１５】
本発明は、背景技術の中で説明したあらゆる異なる側面における問題、特に、上記で説明した問題を解決しようとするものである。
【００１６】
具体的には、本発明は、フットウェアを手入れまたはトリートメントするための装置や、靴のクリーナや、ポリッシャや、ドライヤや、コンディショナに関し、本装置は、コンディショニング物質を受け取って靴の表面に塗布するのに適した材料の塗布具を含むと共に、カバーが装備され、前記カバーは、アプリケータの外形輪郭が当該カバーと適合できる形状および寸法に構成される。任意の構成として、本装置は、基部によって前記塗布具に連結されるハンドルを更に含むことができる。
【００１７】
既に知られている先例から本発明を区別する主な特徴は、基本的に、前述のカバーに帰属する。靴の手入れに用いられる物質は、本装置の実際のカバー内に設けられた容器に収容される。また、前記カバーは、その内部に、物質の定量供給手段を収容し、この定量供給手段は、前記物質をしみ込ませて、クリーニング対象のフットウェア表面と接触する前記塗布具の表面に直接塗布する。
【００１８】
カバー内に組み込まれたコンディショニング物質の容器は、少なくとも部分的に透明であるが、これは、使用終了時の識別を可能にする、すなわち、前記容器内に残っているコンディショニング物質の量が見えるようにするためである。使用終了時のこの指示は現実的なものであるが、これは、容器の物質が使い果たされた時に、塗布具内にも物質の痕跡が無いためである。つまり、前記塗布具が含浸されるのは、容器に組み込まれた定量供給手段上で当該塗布具が直接動作し、かつ、その中に何も存在しない場合のみであるので、塗布する物質が残っていないことは明白である。
【００１９】
本装置は、一回限定の基準で利用できる。すなわち、前記物質が使い果たされた時点で、本装置を廃棄できる。ただし、容器は、追加のコンディショニング物質を充填できるように構成されてもよい。物質の補充物、容器、およびカバーは、再充填のために、本装置そのものとは別に消費者によって購入されてよい。
【００２０】
本装置の塗布具に前記物質を適用することは、中から塗布具を取り出すために、ハンドルを用いて、カバーの長手方向に前記塗布具を引き出すことで実行される開移動において同時に実行される。ハンドルは、装置の開閉時、およびフットウェアのクリーニング動作の実行時など、想定される装置の取り扱いを容易にする人間工学的デザインに形成できる。側面上部において、前記カバーは、ハンドルの基部の外周端が連結されて、塗布具の長手方向の移動を実現する複数のガイドを持ち、このガイドによって、塗布具は、カバーの内面上をスライドしながら移動する。
【００２１】
後にクリーニング対象のフットウェアの表面を磨く面となる、塗布具の外面と、カバーの内面の間の摩擦力と圧迫力とによって、前記定量供給手段は、塗布具の前述の面に、最適な投与量の物質を塗布するように動作する。
【００２２】
物質のこのような定量供給手段は、カバー内部で、ガイドを利用して塗布具を定量供給手段に擦るだけで、前述の開動作と交差する平面で回転して、適切な量のコンディショニング物質を塗布具の外面に渡すことができる。
【００２３】
本発明の好ましい実施形態において、定量供給手段は、注ぎ口に連結されたロールオンタイプのボールで構成でき、前記注ぎ口は、プラスチック製であると好ましく、カバー内に配置された前記物質の容器上で、前記カバーの内面に配設される。容器内部では、独立した部品または底部と一体の部品として、いずれかの伸縮手段、例えば、ばね等が想定される。この伸縮手段は、閉じたカバーの注ぎ口に前述のボールを押し付けて、装置が開または閉状態に維持されている間、すなわち装置を開く横方向移動が実行されていない時の密封を保証する。
【００２４】
コンディショニング物質の定量供給は、ボールの代わりにローラを使用しても同様に実行できる。ローラが回転することで、前記物質は、容器から出て塗布具に移り、靴の表面に確実に塗布されるように、塗布具の外面に移送される。
【００２５】
このように、開示した本装置の利点は、塗布具内に、ユーザが常に同一量の物質、１組の靴を正常にクリーニングするちょうどよい分量を受け取ることである。それ以上の量を必要とする場合、ユーザは、カバーの定量供給手段を用いて塗布具に物質を再供給する必要があり、そのためには、カバーの内面上で塗布具をスライドさせて、前述の手順で本装置をもう一度開閉しなければならない。
【００２６】
コンディショニング物質を無駄にしないという観点から、１つの任意構成では、装置の閉操作は、装置を開けるためにスライドさせる方向と同じ方向には行わずに、塗布具を横断的にカバーに連結することで実行する。このように装置を閉じると、定量供給手段の回転を伴う、カバー内部に対する塗布具の移動が生じないため、物質は容器から出ない。これにより、次に利用されるまでに塗布具が乾燥することを防ぐ。カバーは、塗布具とカバーの横断的結合による閉動作に都合のよい外形輪郭を持つ。また、適切な保持手段を想定して、本装置を再び開く必要があるときに、物質をしみ込ませるために、物質の容器を有する面に対して平行に塗布具を引きながら、長手方向にカバーから抜かなければならない場合に、前述したようなカバーに対する横断的移動が行われることを防ぐ。
【００２７】
ロールオンボールを利用する本装置の実施形態において、利用しない時に塗布具上で物質が空費されることを防ぐために利用できる他の任意構成は、塗布具によって開動作の長手方向に引き出される時にのみ、一方向にだけ前記ボールを回転可能にするという構成である。前記一方向は、本装置を開くために、カバーの内部で塗布具を引く方向である。ローラを利用する本装置の実施形態においても、同様に、物質の浪費は、動作を阻止して、ローラの回転を単一の方向、すなわち、カバーに対して長手方向に塗布具を抜き出す方向に規制する手段を想定することで防止できる。
【００２８】
装置が閉じたままである時に、定量供給手段は発泡体と接触しているが、回転を生む動作が行われないため、定量供給手段は動作しない。このため、本装置は、物質の喪失を招くことや、塗布具を利用するために装置を開くまでの間に塗布具が不必要に充填されることを危惧せずに、あらゆる姿勢で保管および利用することができる。他の既知のクリーナに生じることとは対照的に、本装置は、塗布具への漏れが生じないように、物質の塗布や装置の保管の際に装置を垂直にしておく必要がない。
【００２９】
装置を閉じる際の物質の漏れを可能な限り抑制するため、塗布具には、定量供給手段に対応する空隙が設けられる。この空隙は、装置を閉じて塗布具の外面をカバーで覆う際に、カバーとの結合中に塗布具の空隙が前記定量供給手段を受け取って、定量供給手段に対する塗布具の圧力をほぼ抑制できるように構成される。これにより、装置を完全に閉じた時にも、物質の供給が行われないようにする。
【００３０】
したがって、本装置の他の本質的な利点は、想定される簡単で便利な利用法を別にすると、正常な利用において清潔さが保障されることである。
【００３１】
また、審美的にも優れた塗布具の実際の構造において、その外面は、靴を容易に磨ける広い表面を構成することに加え、その先端部がテーパ形状で終わるため、クリーニングしたいフットウェアのあらゆる領域に容易に到達できる。
【発明を実施するための最良の形態】
【００３２】
本発明の特性の更なる理解を補助することを目的として、これまで述べてきた説明を完結するため、本発明の実用的実施形態の好ましい例に従って、本発明の一部として一連の図面を添付して説明する。これらの図面は、例示することを目的としたものであり限定するものではない。
【００３３】
図面を参照しながら、本発明の利用可能な実施形態として、フットウェアを手入れするための装置について説明する。前記装置は、ユーザが装置を快適に扱える形状に設計された人間工学的ハンドル（１）と、前記人間工学的ハンドル（１）の基部に組み込まれた柔軟な塗布具（２）と、によって構成される。前記塗布具（２）は、ポリウレタン発泡体で製作されると好ましい。これにより、本装置を片手のみで扱いながら、フットウェア表面のあらゆる領域をクリーニング、艶出し、または除湿できる。
【００３４】
スポンジまたは発泡体の塗布具（２）は、プラスチックで形成された一方の面で、ハンドル（１）の基部に熱溶着されると好ましい。また、塗布具（２）は、適切なコンディショニング物質が充填されることを目的とした外面（３）を持ち、前記コンディショニング物質は、図１と図２に示すように、装置を密封して閉じるように想定されたカバー（５）内に設けられた容器（４）に収容される。
【００３５】
図３に示す好ましい実施形態によれば、塗布具（２）の外面（３）は、クリーニングを行う際に、フットウェアの表面と接触する部分で、靴の広く平らな領域を手入れできるように幅広い領域を持つ。また、前記外面（３）は、フットウェアのあらゆるデザインに適合できるように適切な先細り形状に形成された先端部（６）に収斂する。これにより、靴に存在する可能性のある最も到達し難い場所を容易にクリーニングできる。
【００３６】
図４に示す装置のカバー（５）は、塗布具（２）との結合が可能な形状およびサイズに適合する構成を持ち、側面、側方開口、および上部開口に加えて、内面（９）を持つボディとして構成される。この内面（９）には、コンディショニング物質の定量供給手段（１０）が組み込まれる。前記カバー（５）の側面上部に、ハンドル（１）の基部の外周縁に合わさるガイド（８）が想定される。このガイド（８）は、塗布具（２）が組み込まれた前記ハンドル（１）によって形成されるユニットとの連結を容易にすると共に、カバー（５）の内面（９）上で塗布具（２）の外面（３）が移動できるようにする。
【００３７】
前記カバー（５）には、コンディショニング物質の容器が収容され、この容器の内部には、前記物質の定量供給手段（１０）が組み込まれている。定量供給手段（１０）は、図４と図５に示すような実施形態の一任意構成によれば、密封のためにロールオン式ボールが結合された、プラスチック製またはゴム製の注ぎ口からなる。カバー（５）の長手方向に塗布具（２）を単純に移動させて本装置を開く場合、ユーザは、ハンドル（１）を把持して、図５に示すように、カバー（５）のガイド（８）から外に向かってカバー（５）の内面（９）上で前記塗布具（２）の外面（３）をスライドさせる。
【００３８】
このように、カバー（５）の内部でのハンドル（１）と塗布具（２）のアセンブリの移動が行われる際に、塗布具（２）は、カバー（９）に収容されている定量供給手段（１０）を摩擦によって回転させて、当該塗布具（２）へのコンディショニング物質の定量投与を好都合に引き起こす。すなわち、塗布具（２）が移動する際に前記ロールオン式ボールを下方に押し下げることで、前記ボールの回転動作により、前記物質が容器（４）から出て、塗布具（２）の外面（３）に直接塗布される。
【００３９】
前記塗布具（２）が前記カバー（５）の内面（９）全体を移動し、ハンドル（１）と塗布具（２）のアセンブリがカバー（５）から外れると、スプリングや弾性部品等の伸縮手段が想定される。この伸縮手段は、容器（４）の底から顕現し、前記ボールを再び、ただし上向きに押して、カバー（５）の内面（９）に設けられた注ぎ口を閉じて確実に密封する。
【００４０】
一方、塗布具（２）の外面（３）には、定量供給手段（１０）によって、１組の靴をクリーニングまたは艶出しするのに必要なちょうどよい分量が塗布される。図３に示した内容に対応する実施形態の一任意構成において、この外面（３）には、本装置の定量供給手段（１０）の配置に対応する窪み（７）が設けられる。これにより、本装置を閉じた時に、前記定量供給手段（１０）への塗布具（２）の圧力が最小限に抑えられ、この窪み（７）を採用しない場合に考えられるような、フットウェアのコンディショニング物質が逃げ出す可能性が削減される。
【００４１】
次に、フットウェアの手入れが終了した場合、または、他の靴の手入れを行うために、前記物質の追加供給が必要となった場合、ユーザは、再び装置を閉じる必要がある。塗布具（２）をカバー（５）内に押し込んで、定量供給手段（１０）によって容器（４）から定量供給される追加の物質が充填されるようにする。ただし、本装置の閉動作は、開動作と同じ方向には行わず、図６に示すように、カバー（５）に対して横断的に行う。これにより、装置を閉じる際に、塗布具（２）が前記定量供給手段（１０）を回転させてしまい、装置を次に開く前に、コンディショニング物質の供給が行われることを阻止し、前記物質が無駄になることを防ぐ。この閉動作を横断方向に行うと、塗布具（２）の外面（３）がカバー（５）の内面（９）と対面するため、カバー（５）の側面の外形は、当該カバー（５）の上部開口から塗布具（２）を挿入して、ハンドル（１）と前記カバー（５）を契合させるのに都合のよい輪郭に形成される。図５と図６に示した実施形態において、カバー（５）の外形輪郭には、複数のタブ（１１）が追加されている。これらのタブ（１１）は、ハンドル（１）の外周に想定される複数の溝（１２）と結合されて、ハンドル（１）とカバー（５）とを保持して、装置の閉状態を保証する。
【００４２】
これと同じ操作は、図７に示す本発明の代替実施形態においても実現される。図７において、靴のクリーニングおよび艶出し物質の定量供給手段（１０）はローラを含む。このローラは、前述したように直立、横臥、または傾斜した任意の姿勢から、ただし、カバー（５）のガイド（８）によって規制される長手方向に装置を開ける際に、その回転により塗布具（２）に前記物質を塗布する。
【００４３】
前記カバー（５）に組み込まれた容器（４）は、少なくとも部分的に透明なプラスチックで形成されて、装置が閉じられている場合であっても、前記容器（４）に残っている物質の量をユーザが確認して、前記物質が使い果たされた時点を把握できるようにする。
【００４４】
当初、本装置は、使用後に、コンディショニング物質が使い果たされた時点で廃棄されるものと想定されているが、本装置を再利用可能に提供することも想定できる。この場合は、前記容器（４）の内部に、フットウェアのトリートメントに適した液体またはクリームの新しいカートリッジを挿入して、定量供給手段（１０）として機能するボールまたはローラの下に配置する。このため、前記容器（４）には、必要に応じてユーザが前記物質を容易に交換できるように構成される外部カバーを設ける。
【図面の簡単な説明】
【００４５】
【図１】開示するフットウェアを手入れするための装置を水平な姿勢に配置して、塗布具部品を観察できるように示した、前記装置の背面斜視図である。
【図２】フットウェアの手入れのための前記装置を垂直な姿勢で配置して、カバーに収容された物質容器を示した、前記装置の下方斜視図である。
【図３】フットウェアのトリートメントのためにその表面に接触することを意図して構成される塗布具の外面を示した、前記塗布具の斜視図である。
【図４】ロールオン式ボールを有する利用可能な実施形態に係る、本装置のカバーについて、その内面に、フットウェアコンディショニング物質の定量供給手段が見えるように示した、前記カバーの斜視図である。
【図５】本装置を形成する塗布具とカバーのアセンブリについて、本発明の目的に係る、前記装置の開操作とコンディショニング物質の定量供給とが進行している様子を示す斜視図である。
【図６】本装置を形成する塗布具とカバーのアセンブリについて、使用後の閉操作を行おうとしている様子を示す斜視図である。
【図７】ローラを有する他の代替実施形態に係る、本装置のカバーについて、その内面に、コンディショニング物質の定量供給手段が見えるように示した、前記カバーの斜視図である。
【図１】
2009502223.tif 000003
【図２】
2009502223.tif 000004
【図３】
2009502223.tif 000005
【図４】
2009502223.tif 000006
【図５】
2009502223.tif 000007
【図６】
2009502223.tif 000008
【図７】
2009502223.tif 000009
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
塗布具（２）と、前記塗布具（２）に適合するように構成されたカバー（５）とを含む、フットウェアを手入れするための装置であって、
前記カバー（５）は、フットウェアのコンディショニング物質を含む容器（４）と、フットウェアをクリーニングするために設けられた前記塗布具（２）の、少なくとも１つの外面（３）に前記物質を塗布できる定量供給手段（１０）と、を収容し、
前記定量供給手段（１０）は、前記カバー（５）の内部で前記外面（３）がスライドする際に、前記物質が注入されて、前記塗布具（２）の外面（３）に前記物質を塗布するのに適すること、を特徴とする装置。
【請求項２】
請求項１に記載のフットウェアを手入れするため装置であって、
前記定量供給手段（１０）は、前記カバー（５）の内部で前記塗布具（２）の外面（３）がスライドする際に回転可能であること、を特徴とする装置。
【請求項３】
請求項１または２に記載のフットウェアを手入れするための装置であって、
前記定量供給手段（１０）は、前記容器（４）に含まれる前記物質を注入できるローラを含み、前記ローラは、前記カバー（５）の内部での前記塗布具（２）の外面（３）のスライド時に回転可能であること、を特徴とする装置。
【請求項４】
請求項１または２に記載のフットウェアを手入れするための装置であって、
前記定量供給手段（１０）は、前記容器（４）に含まれる前記物質を注入できるボールを含み、前記ボールは、前記カバー（５）の内部での前記塗布具（２）の外面（３）のスライド時に回転可能であること、を特徴とする装置。
【請求項５】
先行する請求項のいずれか１項に記載のフットウェアを手入れするための装置であって、前記定量供給手段（１０）は一方向にのみ回転することに適すること、を特徴とする装置。
【請求項６】
前述の請求項のいずれか１項に記載のフットウェアを手入れするための装置であって、前記塗布具（２）は、横断的に前記カバー（５）と連結されるように構成されること、を特徴とする装置。
【請求項７】
前述の請求項のいずれか１項に記載のフットウェアを手入れするための装置であって、前記塗布具（２）は柔軟な素材からなること、を特徴とする装置。
【請求項８】
前述の請求項のいずれか１項に記載のフットウェアを手入れするための装置であって、前記塗布具（２）の外面（３）は、前記フットウェアの表面のあらゆる領域をクリーニングするのに適した先細り表面（６）に収斂すること、を特徴とする装置。
【請求項９】
前述の請求項のいずれか１項に記載のフットウェアを手入れするための装置であって、前記塗布具（２）の外面（３）は、前記定量供給手段（１０）に対応する窪み（７）を有すること、を特徴とする装置。
【請求項１０】
前述の請求項のいずれか１項に記載のフットウェアを手入れするための装置であって、前記装置にはハンドル（１）が組み込まれ、前記ハンドル（１）は、その基部によって前記塗布具（２）と連結されること、を特徴とする装置。
【請求項１１】
請求項１０に記載のフットウェアを手入れするための装置であって、前記ハンドル（１）は人間工学的であること、を特徴とする装置。
【請求項１２】
前述の請求項のいずれか１項に記載のフットウェアを手入れするための装置であって、前記カバー（５）は、その側面上部に、前記ハンドル（１）の外周縁が結合されるガイド（８）を有し、前記ガイドによって、前記塗布具（２）は、当該塗布具（２）が取り出されて装置が開くまで、前記カバー（５）の内部で長手方向にスライドできること、を特徴とする装置。
【請求項１３】
前述の請求項のいずれか１項に記載のフットウェアを手入れするための装置であって、前記カバー（５）は、その側面上部に、タブ（１１）を有し、前記タブ（１１）は、前記ハンドル（１）の基部の外周縁に想定される溝（１２）に結合されること、を特徴とする装置。
【請求項１４】
前述の請求項のいずれか１項に記載のフットウェアを手入れするための装置であって、前記容器（４）は少なくとも部分的に透明であること、を特徴とする装置。
【請求項１５】
前述の請求項のいずれか１項に記載のフットウェアを手入れするための装置であって、前記容器（４）は、コンディショニング物質の入れ替えを行えるような接続部を持つこと、を特徴とする装置。
【請求項１６】
前述の請求項のいずれか１項に記載のフットウェアを手入れするための装置であって、前記容器（４）は前記カバー（５）から着脱可能であること、を特徴とする装置。
【国際調査報告】
2009502223.tif 000010
2009502223.tif 000011
2009502223.tif 000012
2009502223.tif 000013